(57)【要約】【課題】土間コンクリートを支持する支持部の強度を高める。【解決手段】基礎構造物１０の布基礎２０は、コンクリート製であり、ベース部２１と、ベース部２１の上面から上方へ突出する立上がり部２２と、土間コンクリート４０を支持する支持部２３とを備える。支持部２３は、上下方向１３に長い縦長形状であり、立上がり部２２及びベース部２１と繋がっている。具体的には、支持部２３は、立上がり部２２の側面２２Ｂ及びベース部２１の上面から突出している。立上がり部２２と支持部２３とベース部２１とは、コンクリートにより一体に打設される。布基礎２０に囲まれた土間部２４は、埋戻し材３０により埋め戻されている。埋戻し材３０の上に土間コンクリート４０が打設されている。支持部２３の第２上面２３Ａと、土間コンクリート４０の脚４２の下端とが当接している。【選択図】図３
2019007272.tif 000002
【特許請求の範囲】
【請求項１】
ベース部及び立上がり部を有する布基礎と、当該布基礎に囲まれた土間部に配置された埋戻し材と、当該埋戻し材の上に配置された土間コンクリートとを備える基礎構造物であって、
上記立上がり部は、建物の躯体を支持する第１上面を有しており、
上記布基礎は、
上記第１上面よりも低い位置にある第２上面を有しており、当該第２上面において上記土間コンクリートを支持する支持部を有しており、
上記支持部は、上記ベース部における上記土間部側の上面から上方へ突出しており、かつ、上記立上がり部の上記土間部側の側面から当該土間部側へ突出する基礎構造物。
【請求項２】
上記支持部は、上下方向に長い四角柱状である請求項１に記載の基礎構造物。
【請求項３】
上記立上がり部における上記土間部側の側面からの上記支持部の第１突出量は、当該側面からの上記ベース部の第２突出量よりも小さい請求項１または２に記載の基礎構造物。
【請求項４】
上記土間コンクリートは、
板状の本体と、
上記本体の周端部から下方へ上記支持部の上記第２上面まで延びる脚と、を備える請求項１から３のいずれかに記載の基礎構造物。
【請求項５】
ベース部と、立上がり部と、当該立上がり部に囲まれた土間部に位置する支持部とを有する布基礎であって、上記立上がり部が建物の躯体を支持する第１上面を具備し、上記支持部が、上記ベース部から上方へ突出し、上記立上がり部から上記土間部側へ突出し、上記第１上面よりも低い位置にある第２上面を具備する布基礎の形成に用いられる型枠を地面に設置する第１工程と、
上記型枠内にコンクリートを流し込んで上記布基礎の上記ベース部、上記立上がり部、及び上記支持部を一体に打設する第２工程と、
上記支持部の上記第２上面を覆うことなく上記土間部を埋戻し材を用いて埋め戻す第３工程と、
上記第２上面及び上記埋戻し材の上にコンクリートを流し込んで土間コンクリートを打設する第４工程と、を備える基礎構造物施工方法。
【発明の詳細な説明】
【技術分野】
【０００１】
本発明は、布基礎、埋戻し材、及び土間コンクリートによって構成される基礎構造物、及び当該基礎構造物の施工方法に関する。
【背景技術】
【０００２】
一般に、布基礎及び土間コンクリートからなる基礎構造物では、布基礎の内側を埋戻した後、埋戻し土の上に土間コンクリートを打設する。
【０００３】
土間コンクリートは埋戻し土に支持される。土間コンクリートには、端部が布基礎のベース部まで延ばされた沈下対策用のものがある。埋戻し土が経時変化により沈下したとしても、土間コンクリートはベース部に支持され、土間コンクリートの沈下が防止される。
【０００４】
布基礎には、立上がり部の長さが長い高基礎や深基礎がある。高基礎や深基礎では、立上がり部の長さが長いので、布基礎のベース部によって土間コンクリートを支持することが困難になる。そうすると、埋戻し土が沈下した場合に、土間コンクリートも沈下し、土間コンクリートと布基礎の立上がり部との間に亀裂や隙間が生じてしまう。また、土間コンクリートに支持されている床等の沈下も生じる可能性がある。
【０００５】
特許文献１には、土間コンクリートから下方に延びる支持体を布基礎のベース部に当接させることにより、土間コンクリートの沈下を防止する技術が開示されている。支持体は、布基礎のベース部に設置された筒によって土間コンクリートと一体に打設される。
【先行技術文献】
【特許文献】
【０００６】
【特許文献１】特開２０１０−９５９２０号公報
【発明の概要】
【発明が解決しようとする課題】
【０００７】
特許文献１に開示された技術では、支持体は、土間コンクリートの下面から下方へ延びているから、支持体の根本に応力が集中し、破損のおそれがあるという問題がある。
【０００８】
また、特許文献１に記載された技術では、支持体の形成に使い捨てとなる筒を使用するから、設置に手間がかかり、また、施工コストも高くなるという問題がある。
【０００９】
また、支持体の打設に用いる筒は埋め殺しとなるから、当該筒が紙製であると、白蟻の発生の問題も生じる。
【００１０】
本発明は、前述された事情に鑑みてなされたものであり、その目的は、支持部の強度を高め、また、施工コストを抑制でき、さらに、埋め殺しとなる部材を用いずに施工を行う手段を提供することにある。
【課題を解決するための手段】
【００１１】
(1)  本発明に係る基礎構造物は、ベース部及び立上がり部を有する布基礎と、当該布基礎に囲まれた土間部に配置された埋戻し材と、当該埋戻し材の上に配置された土間コンクリートとを備える。上記立上がり部は、建物の躯体を支持する第１上面を有する。上記布基礎は、支持部を有する。当該支持部は、上記第１上面よりも低い位置にある第２上面を有しており、当該第２上面において上記土間コンクリートを支持する。また、上記支持部は、上記ベース部における上記土間部側の上面から上方へ突出しており、かつ、上記立上がり部の上記土間部側の側面から当該土間部側へ突出する。
【００１２】
土間コンクリートを支持する支持部は、立上がり部の土間部側の側面から土間部側へ突出し、かつ、ベース部における土間部側の上面から上方へ突出するから、土間コンクリートとの接続箇所である根本に応力が集中する従来の構成の支持体と異なり、ベース部との接続箇所のみに応力が集中することがない。すなわち、応力集中が生じない。また、立上がり部の土間部側の側面から土間部側へ突出しているから、従来構成の支持体よりも強度が高められる。応力集中が生じず、かつ、強度が高められるから、土間コンクリートを安定して支持することができる。
【００１３】
また、支持部は、立上がり部から突出し、立上がり部と繋がっているから、支持部を立上がり部と同時に形成することができる。その結果、使い捨ての筒などを使用せずに支持部を形成することができ、施工コスト抑えることができ、また、地中に筒などの部材を残さないことができる。
【００１４】
(2)  好ましくは、上記支持部は、上下方向に長い四角柱状であってもよい。
【００１５】
支持部は、上下方向に長い形状であるから、上下方向における強度が高められる。また、支持部は、単純な四角柱状であるから、布基礎の施工がさらに容易になる。
【００１６】
(3)  好ましくは、上記立上がり部における上記土間部側の側面からの上記支持部の第１突出量は、当該側面からの上記ベース部の第２突出量よりも小さくてもよい。
【００１７】
第１突出量が第２突出量よりも小さいから、支持部がベース部からはみ出さない。その結果、ベース部によって支持部を確実に支持することができる。
【００１８】
(4)  好ましくは、上記土間コンクリートは、板状の本体と、上記本体の周端部から下方へ上記支持部の上記第２上面まで延びる脚とを備えていてもよい。
【００１９】
土間コンクリートの上下方向における高さ位置は、大きくは支持部の上下方向の長さによって調整され、脚によって微調整される。脚によって微調整されるから、支持部の上下方向の長さを詳細に設定する必要がない。その結果、支持部の形成がより容易になる。すなわち、基礎構造物の施工が容易になる。
【００２０】
(5)  本発明の基礎構造物施工方法は、ベース部と、立上がり部と、当該立上がり部に囲まれた土間部に位置する支持部とを有する布基礎であって、上記立上がり部が建物の躯体を支持する第１上面を具備し、上記支持部が、上記ベース部から上方へ突出し、上記立上がり部から上記土間部側へ突出し、上記第１上面よりも低い位置にある第２上面を具備する布基礎の形成に用いられる型枠を地面に設置する第１工程と、上記型枠内にコンクリートを流し込んで上記布基礎の上記ベース部、上記立上がり部、及び上記支持部を一体に打設する第２工程と、上記支持部の上記第２上面を覆うことなく上記土間部を埋戻し材を用いて埋め戻す第３工程と、上記第２上面及び上記埋戻し材の上にコンクリートを流し込んで土間コンクリートを打設する第４工程と、を備える。
【００２１】
布基礎のベース部、立上がり部、及び支持部は、第２工程において一体に打設される。したがって、支持部とベース部との間、及び、支持部と立上がり部との間に、コールドジョイントが生じない。その結果、支持部の強度がさらに高められる。
【発明の効果】
【００２２】
本発明に係る基礎構造物及び基礎構造物施工方法によれば、支持部の強度を高めることができ、また、施工コストを抑えることができる。
【図面の簡単な説明】
【００２３】
【図１】図１は、実施形態に係る基礎構造物１０の斜視図である。
【図２】図２は、実施形態に係る布基礎２０の断面斜視図である。
【図３】図３は、図１におけるＩＩＩ−ＩＩＩ断面である。
【図４】図４は、実施形態に係る基礎構造物施工方法５０の工程図である。
【図５】図５は、実施形態に係る第１型枠６１の斜視図である。
【図６】図６は、実施形態に係る基礎構造物施工方法５０の説明図である。
【図７】図７は、実施形態に係る基礎構造物施工方法５０の説明図である。
【図８】図８は、実施形態に係る基礎構造物施工方法５０の説明図である。
【図９】図９は、変形例に係る基礎構造物施工方法１００の工程図である。
【図１０】図１０は、変形例に係る基礎構造物施工方法１００の説明図である。
【発明を実施するための形態】
【００２４】
以下、本発明の実施形態について説明する。なお、以下に説明される実施形態は本発明の一例にすぎず、本発明の要旨を変更しない範囲で、本発明の実施形態を適宜変更できることは言うまでもない。
【００２５】
本実施形態では、図１に示される基礎構造物１０、及び基礎構造物１０の施工方法である基礎構造物施工方法５０（図４）が説明される。
【００２６】
[基礎構造物１０]
基礎構造物１０は、図１に示されるように、布基礎２０と、埋戻し材３０と、土間コンクリート４０とを備える。
【００２７】
布基礎２０は、図２に示されるように、ベース部２１と、立上がり部２２と、支持部２３と、を有する。布基礎２０は、コンクリート製である。
【００２８】
ベース部２１は、地面１４に設置され、地面１４に支持される。ベース部２１は、厚み方向を上下方向１３とする板状であり、水平方向に沿う一方向に沿って延びる。以下では、ベース部２１が延びる方向を第１方向１１とし、第１方向１１と上下方向１３とに直交する幅方向を第２方向１２として説明がされる。
【００２９】
立上がり部２２は、ベース部２１の上面２１Ａから上方へ向かって突出している。第２方向１２における立上がり部２２の長さ（幅）は、第２方向１２におけるベース部２１の長さ（幅）よりも短い。また、立上がり部２２は、第２方向１２におけるベース部２１の中央から上方へ突出している。したがって、ベース部２１は、第２方向１２において、立上がり部２２の両側面２２Ｂ、２２Ｃからはみ出ている。その結果、立上がり部２２は、安定してベース部２１に支持される。なお、立上がり部２２は、第２方向１２におけるベース部２１の一方の端部に偏って配置されていてもよい。
【００３０】
立上がり部２２は、一定幅で第１方向１１に沿って延びる第１上面２２Ａを有する。第１上面２２Ａからは、不図示のアンカーボルトが上向きに突出する。アンカーボルトは、柱脚金具や土台を固定する。柱脚金具や土台は柱を固定する。すなわち、立上がり部２２は、第１上面２２Ａにおいて、建物の躯体を支持する。
【００３１】
布基礎２０のベース部２１及び立上がり部２２に囲まれた空間によって土間部２４が形成される。支持部２３は、土間部２４側に設けられる。詳しく説明される。
【００３２】
支持部２３は、上下方向１３に沿って延びる縦長の形状である。支持部２３は、立上がり部２２における土間部２４側の側面２２Ｂから土間部２４側へ突出し、かつ、ベース部２１の土間部２４側の上面２１Ａから上向きに突出している。すなわち、支持部２３は、立上がり部２２及びベース部２１と繋がっている。
【００３３】
立上がり部２２の側面２２Ｂからの支持部２３の突出量である第１突出量Ｄ１は、側面２２Ｂからのベース部２１の突出量である第２突出量Ｄ２よりも小さい。すなわち、支持部２３は、第２方向１２においてベース部２１からはみ出ていない。その結果、支持部２３は、ベース部２１に確実に支持される。
【００３４】
支持部２３の上下方向１３における長さは、立上がり部２２の上下方向１３における長さよりも短い。すなわち、支持部２３の上面である第２上面２３Ａは、立上がり部２２の第１上面２２Ａよりも低い位置にある。第２上面２３Ａの高さ位置が第１上面２２Ａの高さ位置よりも低くされるのは、第２上面２３Ａによって土間コンクリート４０を支持するためである。詳しくは後述される。
【００３５】
支持部２３は、四角柱状であって、第２上面２３Ａは矩形状である。ただし、支持部２３が半円柱状であって、第２上面２３Ａが半円状であってもよいし、支持部２３が半楕円柱状であって、第２上面２３Ａが半楕円状であってもよいし、支持部２３が三角柱状であって、第２上面２３Ａが三角形状であってもよい。
【００３６】
図３に示されるように、埋戻し材３０は、土間部２４に配置されている。埋戻し材３０は、例えば、土や砂利などである。埋戻し材３０は、支持部２３の第２上面２３Ａを覆わないように配置される。
【００３７】
埋戻し材３０の上面３０Ａは、土間コンクリート４０の高さ位置に応じた高さ位置とされる。すなわち、埋戻し材３０の上面３０Ａの高さ位置によって、土間コンクリート４０の高さ位置が微調整される。図示例では、埋戻し材３０の上面３０Ａが、支持部２３の第２上面２３Ａよりも高い位置にされているが、埋戻し材３０の上面３０Ａは、支持部２３の第２上面２３Ａと同一の高さ位置とされてもよい。
【００３８】
土間コンクリート４０は、コンクリート製である。土間コンクリート４０は、上下方向１３を厚み方向とする板状の本体４１と、本体４１の周端部から下方へ延びる脚４２とを備える。本体４１は、埋戻し材３０の上に位置する。脚４２は、下端において布基礎２０の支持部２３の第２上面２３Ａと当接する。すなわち、土間コンクリート４０は、脚４２において布基礎２０の支持部２３に支持されている。
【００３９】
なお、脚４２は、本体４１の外周に沿って延びて設けられていてもよいし、外周に沿って断続して設けられていてもよい。また、本体４１と埋戻し材３０との間に、防湿シートや防蟻材等が配置されてもよい。
【００４０】
また、土間コンクリート４０の本体４１の側面４１Ａは、布基礎２０の立上がり部２２の側面２２Ｂと当接している。したがって、土間コンクリート４０は、地面から室内への湿気の移動や害虫の進入を防止することができる。
【００４１】
[基礎構造物施工方法５０]
以下、上述の基礎構造物１０を施工する方法である基礎構造物施工方法５０が説明される。図４に示されるように、基礎構造物施工方法５０は、地面に型枠６０（図８）を設置する第１工程５１と、型枠６０にコンクリートを流し込んで布基礎２０を打設する第２工程５２と、型枠６０を撤去する第３工程５３と、土間部２４を埋戻し材３０で埋め戻す第４工程５４と、土間コンクリート４０を打設する第５工程５５とを備える。
【００４２】
第１工程５１は、本発明の第１工程に相当する。第２工程５２は、本発明の第２工程に相当する。第４工程５４は、本発明の第３工程に相当する。第５工程５５は、本発明の第４工程に相当する。
【００４３】
地面に型枠６０を設置する第１工程５１は、第６工程５６と、第７工程５７と、第８工程５８と、第９工程５９とを備える。
【００４４】
第６工程５６は、布基礎２０のベース部２１を打設するための第１型枠６１（図５）を地面に設置する工程である。
【００４５】
図５に示されるように、第１型枠６１は、板状の複数の第１ベース板材６１Ａと、板状の複数の第２ベース板材６１Ｂとを備える。第１ベース板材６１Ａは長尺の矩形状である。第２ベース板材６１Ｂは、第１ベース板材６１Ａと同形状である。第１ベース板材６１Ａ及び第２ベース板材６１Ｂは、例えば木材である。
【００４６】
作業者は、第６工程５６において、地面１４に形成された溝１５の壁面に沿わせて複数の第１ベース板材６１Ａ及び複数の第２ベース板材６１Ｂを設置する。その際、作業者は、第１ベース板材６１Ａと第２ベース板材６１Ｂとを厚み方向において互いに対向させて設置する。また、作業者は、長手方向において複数の第１ベース板材６１Ａを隣接させ、長手方向において複数の第２ベース板材６１Ｂを隣接させる。また、作業者は、布基礎２０の隅部となる場所においては、第１ベース板材６１Ａ同士を平面視において直交するように突き合わせ、第２ベース板材６１Ｂ同士を平面視において直交するように突き合わせる。
【００４７】
作業者は、隣接する第１ベース板材６１Ａ同士をボルト及びナットや締結金具などの固着具を用いて相互に固定する。同様に、作業者は、隣接する第２ベース板材６１Ｂ同士を固着具を用いて相互に固定する。なお、作業者は、第１型枠６１を設置する前、或いは設置した後に、溝１５の底に砂利１６を敷設する。
【００４８】
第７工程５７（図４）は、第１ベース板材６１Ａと第２ベース板材６１Ｂと間や上方に不図示の鉄筋及び上述のアンカーボルトを配置する工程である。鉄筋は、横筋や縦筋やあばら筋や添え筋や補助筋などである。作業者は、第７工程５７において、これらの鉄筋を溶接、番線、連結具などによって連結し、配筋を行う。なお、支持部２３となる空間に、鉄筋が配置されてもよいし、配置されなくともよい。
【００４９】
第８工程５８（図４）は、布基礎２０の立上がり部２２の下部及び支持部２３を打設するための第２型枠６２（図７）を設置する工程である。
【００５０】
第２型枠６２は、図７に示されるように板状の複数の第１部材７１と、板状の複数の第２部材７２と、複数の第３部材７３と、複数の接続部材３１とを備える。図７では、１個の第３部材７３及び２個の接続部材３１が示されているが、第３部材７３は、形成される支持部２３の個数に応じて使用される。第１部材７１、第２部材７２、第３部材７３、及び接続部材３１は、例えば、金属や、樹脂や、木材からなる。後述の第４部材７４及び第５部材７５も同様である。
【００５１】
複数の第１部材７１は、全て同一形状であってもよいし、第１方向１１における長さが相違していてもよいが、上下方向１３における長さである高さについては、全て同一である。すなわち、第２型枠６２を構成する一方の側の下型枠８１は、一定の高さを有する。
【００５２】
第２部材７２は、第１部材７１と同形状である。すなわち、第２部材７２は、第１部材７１と同一高さである。
【００５３】
第３部材７３は、矩形板状の板状部７３Ａと、板状部７３Ａの第１方向１１における両端から同じ向きへそれぞれ突出する一対のフランジ部７３Ｂとを備える。第３部材７３は、第１部材７１及び第２部材７２と同一高さである。
【００５４】
接続部材３１は、板状の第１部３１Ａ及び第２部３１Ｂを備える。接続部材３１は、第１部３１Ａの端と第２部３１Ｂの端とが平面視において直角に突き合わされた形状を有している。すなわち、接続部材３１は、平面視において「Ｌ」形状である。接続部材３１は、第１部材７１、第２部材７２、及び第３部材７３と同一高さである。したがって、第２型枠６２を構成する他方の側の下型枠８２は、一定の高さを有する。
【００５５】
作業者は、第８工程５８において、まず、第１部材７１、第２部材７２、第３部材７３、及び接続部材３１を固定するための不図示の架台を設置する。次に、作業者は、図６に示されるように、第１方向１１に沿って、互いに隣接させて第１部材７１を並べ、架台を用いて固定する。布基礎２０の隅部となる箇所においては、第１部材７１の端部同士が平面視において直角に突き合わされる。なお、平面視において直角に突き合わせる２つの第１部材７１の代わりに、平面視において「Ｌ」形状の部材が用いられてもよい。
【００５６】
また、作業者は、隣接する第１部材７１同士、及び端部同士を突き合わされた第１部材同士を固着具を用いて相互に固定する。複数の第１部材７１により、高さが一定である壁状の下型枠８１が形成される。
【００５７】
次に、作業者は、図７に示されるように、板状の複数の第２部材７２を、厚み方向において第１部材７１と対向させて設置し、架台を用いて固定する。その際、作業者は、支持部２３を形成する場所（空間）には、第２部材７２を配置しない。したがって、複数の第２部材７２は、一部において隣接し、一部において離間する。作業者は、隣接する第２部材７２同士を固着具を用いて相互に固定する。布基礎２０の隅部となる箇所においては、第２部材７２の端部同士が平面視において直角に突き合わされる。作業者は、端部を突き合わされた第２部材７２同士を固着具を用いて相互に固定する。なお、平面視において直角に突き合わせる２つの第２部材７２の代わりに、平面視において「Ｌ」形状の部材が用いられてもよい。
【００５８】
次に、作業者は、離間する２つの第１部材７１の間となる位置（すなわち、支持部２３を形成する位置）に第３部材７３を設置し、架台を用いて固定する。その際、作業者は、第２方向１２における第１部材７１と第２部材７２との間の距離である第１距離Ｌ１よりも長い第２距離Ｌ２だけ第１部材７１から離して第３部材７３を設置する。
【００５９】
次に、作業者は、第２部材７２と第３部材７３との間に接続部材３１を配置し、架台を用いて固定する。作業者は、第２部材７２と接続部材３１とを固着具を用いて相互に固定する。また、作業者は、第３部材７３と接続部材３１とを固着具を用いて相互に固定する。
【００６０】
相互に固定された第２部材７２、第３部材７３、及び接続部材３１により、高さが一定である壁状の下型枠８２が形成される。下型枠８１と下型枠８２とにより、第２型枠６２が形成される。
【００６１】
なお、上述では、第８工程５８において、第１部材７１、第２部材７２、第３部材７３、接続部材３１の順に設置する例が説明されたが、第１部材７１、第２部材７２、第３部材７３、及び接続部材３１は、いずれが先に設置されてもよい。
【００６２】
第９工程５９は、立上がり部２２の上部を打設するための第３型枠６３（図８）を設置する工程である。すなわち、施工される布基礎２０は、上下２段の型枠を用いて立上がり部２２を打設する深基礎である。なお、通常の布基礎は、１段の型枠で立上がり部を打設する。
【００６３】
第３型枠６３は、複数の第４部材７４及び複数の第５部材７５を備える。第４部材７４及び第５部材７５は、第１部材７１及び第２部材７２と同形状である。
【００６４】
作業者は、図８に示されるように、第９工程５９において、複数の第４部材７４を第１部材７１の上に設置して架台を用いて固定する。布基礎２０の隅部となる箇所においては、第４部材７４の端部同士が平面視において直角に突き合わされる。なお、平面視において直角に突き合わせる２つの第４部材７４の代わりに、平面視において「Ｌ」形状の部材が用いられてもよい。
【００６５】
作業者は、隣接する第４部材７４同士、及び、上下に隣接する第１部材７１と第４部材７４とを固着具を用いて相互に固定する。複数の第４部材７４により、一定の高さの壁状の上型枠８３が形成される。
【００６６】
また、作業者は、第９工程５９において、複数の第５部材７５を第２部材７２及び接続部材３１の上に設置して架台を用いて固定する。布基礎２０の隅部となる箇所においては、第５部材７５の端部同士が平面視において直角に突き合わされる。なお、平面視において直角に突き合わせる２つの第５部材７５の代わりに、平面視において「Ｌ」形状の部材が用いられてもよい。
【００６７】
作業者は、隣接する第５部材７５同士、及び、上下に隣接する第２部材７２と第５部材７５とを固着具を用いて相互に固定する。複数の第５部材７５により、一定の高さの壁状の上型枠８４が形成される。上型枠８３と上型枠８４とにより、第３型枠６３が形成される。上述の第１型枠６１及び第２型枠６２と、第３型枠６３とにより型枠６０が形成される。
【００６８】
作業者は、第２工程５２において、設置した型枠６０の内側にコンクリートを流し込み、図２に示される布基礎２０を打設する。
【００６９】
次に、作業者は、第３工程５３において、型枠６０、及び不図示の架台を撤去する。型枠６０や架台は、他の建築現場において再利用される。なお、架台の全てまたは一部や、型枠６０の全てまたは一部は、埋め殺しとされてもよい。
【００７０】
次に、作業者は、布基礎２０の立上がり部２２の側面２２Ｂに、土間コンクリート４０の高さ位置を墨入れする。作業者は、、第４工程５４（図４）において、墨入れした高さ位置に合わせて土間部２４に埋戻し材３０を搬入し、埋め戻す。図３では、埋戻し材３０の上面３０Ａが布基礎２０の支持部２３の第２上面２３Ａよりも高い位置となるまで埋戻し材３０が搬入されている。
【００７１】
次に、作業者は、埋戻し材３０を転圧する。その後、作業者は、第５工程５５において、埋戻し材３０及び支持部２３の上にコンクリートを流し込み、土間コンクリート４０（図３）を打設する。
【００７２】
[実施形態の効果]
本実施形態では、土間コンクリート４０は、布基礎２０の支持部２３に支持されている。したがって、埋戻し材３０の上面３０Ａが何らかの原因により下がったとしても、土間コンクリート４０は、支持部２３によって支持され、高さ位置が維持される。その結果、土間コンクリート４０の破損が防止され、また、土間コンクリート４０と布基礎２０の立上がり部２２との間に隙間が生じることが防止される。したがって、湿気や害虫の屋内への侵入が防止される。
【００７３】
また、支持部２３は、立上がり部２２及びベース部２１からそれぞれ突出している。したがって、応力集中が生じず、支持部２３は、土間コンクリート４０を支持するだけの十分な強度を確保することができる。
【００７４】
また、ベース部２１、立上がり部２２、及び支持部２３は一体に打設されるから、支持部２３と立上がり２３との間、及び支持部２３とベース部２１との間にコールドジョイントが生じない。したがって、支持部２３の強度が高く、さらに確実に土間コンクリート４０を支持することができる。
【００７５】
また、支持部２３は、上下方向１３に長い縦長形状である。したがって、支持部２３は、上下方向１３における強度が高く、さらに確実に土間コンクリート４０を支持することができる。
【００７６】
また、支持部２３は、第２方向１２においてベース部２１からはみ出していないから、ベース部２１に確実に支持される。その結果、さらに確実に土間コンクリート４０を支持することができる。
【００７７】
また、支持部２３は、立上がり部２２及びベース部２１と一体に打設されるから、支持部２３の施工が容易であり、かつ、筒などの使い捨てとなる部材も必要がない。したがって、基礎構造物１０の施工が容易になり、施工コストも抑えることができる。
【００７８】
また、支持部２３は、単純な形状であって、かつ、高い強度を得られる四角柱状であるから、支持部２３の強度を確保しつつ、施工を容易にすることができる。
【００７９】
また、土間コンクリート４０に脚４２が設けられ、脚４２によって土間コンクリート４０の高さ位置が微調整されるから、支持部２３の上下方向１３における長さを微調整する必要がない。その結果、布基礎２０の施工、延いては基礎構造物１０の施工が容易になる。
【００８０】
[変形例]
上述の実施形態では、第２型枠６２と第３型枠６３との上下２段の型枠を用いて立上がり部２２が打設される例が説明された。本変形例では、上下３段の型枠を用いて立上がり部２２が打設される例が説明される。すなわち、本変形例では、上述の実施形態の基礎構造物１０よりも立上がり部２２の高さがさらに高い基礎構造物の施工方法が説明される。
【００８１】
図９に示されるように、本変形例で説明される基礎構造物施工方法１００は、第１工程５１において、第２型枠６２を設置する第８工程５８と、第３型枠６３を設置する第９工程５９との間に、第４型枠６４を設置する第１０工程７０を有する点において、上述の実施形態と異なる。その他の構成は、上述の実施形態と同様である。上述の実施形態と同一の構成には、実施形態と同一の符号を付して説明が省略される。
【００８２】
図１０に示されるように、第４型枠６４は、第２型枠６２と同一の構成である。すなわち、第４型枠６４は、複数の第１部材７１と、複数の第２部材７２と、複数の第３部材７３と、複数の接続部材３１とを備える。
【００８３】
作業者は、図９に示されるように、第８工程５８において第２型枠６２を設置した後、第１０工程７０において、第２型枠６２の上に第４型枠６４を設置し（図１０）、各部材同士を固着具を用いて相互に固定する。
【００８４】
作業者は、第１０工程７０において第４型枠６４を設置した後、第９工程５９において、第４型枠６４の上に第３型枠６３を設置し、固着具を用いて各部材同士を相互に固着する。
【００８５】
[変形例の効果]
本変形例では、第４型枠６４は、第３型枠６３ではなく、第２型枠６２と同構成である。したがって、布基礎２０の立上がり部２２の高さに合わせて、支持部２３の高さ（上下方向１３の長さ）を高くすることができる。その結果、支持部２３の強度をさらに高めることができる。
【００８６】
また、支持部２３を長くすることにより、土間コンクリート４０の脚４２（図３）の長さが長くなることを抑制できる。脚４２が長くなると、脚４２の根本に応力が集中し、脚４２に配筋を行うなどの対策が必要となる。本変形例では、脚４２の長さが長くなることを抑制できる。その結果、基礎構造物の施工が容易になり、また、施工コストを抑えることができる。
【００８７】
[その他の変形例]
上述の変形例では、立上がり部２２を上下３段の型枠を用いて打設する例が説明された。しかしながら、上下４段以上の型枠を用いて立上がり部２２を打設してもよい。その際、増やされる型枠は、第２型枠６２と同構成とされる。すなわち、立上がり部２２の高さの増加に合わせて、支持部２３の高さ（上下方向１３の長さ）が高くされる。
【００８８】
上述の実施形態や変形例において、基礎構造物１０が軟弱地盤に設けられる場合、布基礎２０のベース部から下方に延びる支持杭が基礎構造物１０に設けられていてもよい。支持杭は、基礎構造物１０の下方に位置する強固な地盤まで延ばされる。支持杭により、基礎構造物１０の支持が強固になる。
【符号の説明】
【００８９】
１０・・・基礎構造物
２０・・・布基礎
２１・・・ベース部
２１Ａ・・・上面
２２・・・立上がり部
２２Ａ・・・第１上面
２２Ｂ・・・側面
２３・・・支持部
２３Ａ・・・第２上面
２４・・・土間部
３０・・・埋戻し材
４０・・・土間コンクリート
４１・・・本体
４２・・・脚
５０、１００・・・基礎構造物施工方法
５１・・・第１工程
５２・・・第２工程
５３・・・第３工程
５４・・・第４工程
５５・・・第５工程
６０・・・型枠
【図１】
2019007272.tif 000003
【図２】
2019007272.tif 000004
【図３】
2019007272.tif 000005
【図４】
2019007272.tif 000006
【図５】
2019007272.tif 000007
【図６】
2019007272.tif 000008
【図７】
2019007272.tif 000009
【図８】
2019007272.tif 000010
【図９】
2019007272.tif 000011
【図１０】
2019007272.tif 000012